【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別するための手段と、
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別するための手段と、
前記第１の複数の対応する信号と前記第２の複数の対応する信号を受信および識別することに応じて、位置ロケーション情報を決定するための手段と、
前記第１のＮＳＳについての第１の情報と、前記第１のＮＳＳについての第１の情報に対応する前記第２のＮＳＳについての第２の情報と、を受信するための手段と、
を備える装置。
【請求項２】
前記装置は移動局に位置する、請求項１に記載の装置。
【請求項３】
位置測定要求メッセージを受信するための手段、をさらに備え、前記位置測定要求メッセージを受信するための手段は、ロケーションサーバから前記位置測定要求メッセージを受信するための手段をさらに備える、請求項２に記載の装置。
【請求項４】
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別するための手段と；
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別するための手段と；
前記第１の複数の対応する信号と前記第２の複数の対応する信号を受信および識別することに応じて、位置ロケーション情報を決定するための手段と；
前記第１のＮＳＳのための援助データを表わす第１の情報と、前記第１のＮＳＳのための援助データに対応する前記第２のＮＳＳのための援助データを表わす第２の情報と、を受信するための手段と；
を備える装置。
【請求項５】
前記第１のＮＳＳのための援助データを表わす前記第１の情報および、前記第２のＮＳＳのための援助データを表わす前記第２の情報の各々は、
ディファレンシャル修正、ナビゲーション・モデル、アルマナック、捕捉援助、およびリアルタイム・インテグリティ、の要素のうちの１つ以上を、さらに含む、請求項４に記載の装置。
【請求項６】
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別するための手段と；
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別するための手段と；
前記第１の複数の対応する信号と前記第２の複数の対応する信号を受信および識別することに応じて、位置ロケーション情報を決定するための手段と；
前記第１のＮＳＳについての測定情報を表わす第１の情報と、前記第１のＮＳＳについての測定情報に対応する前記第２のＮＳＳについての測定情報を表わす第２の情報と、を送信するための手段と；
を備える装置。
【請求項７】
前記第１のＮＳＳについての測定情報を表わす前記第１の情報、および前記第２のＮＳＳについての測定情報を表わす前記第２の情報の各々は、フレーム番号、全地球型測位衛星（ＧＰＳ）の週の時刻（ＴＯＷ）、および測定パラメータ、の要素のうちの１つ以上をさらに含む、請求項６に記載の装置。
【請求項８】
前記測定パラメータは、ＳＶ ＩＤ、Ｃ／Ｎｏ、ドップラー、完全なチップ、断片的なチップ、マルチパス・インディケーター、およびＲＭＳ擬似距離誤差、の要素のうちの１つ以上をさらに含む、請求項７に記載の装置。
【請求項９】
前記第１のＮＳＳおよび前記第２のＮＳＳは、それぞれ、全地球型測位衛星（ＧＰＳ）システムおよびガリレオ衛星システム、および／または、それぞれ、全地球型測位衛星（ＧＰＳ）システムおよびＧＬＯＮＡＳＳ衛星システムのうちの少なくとも１つを、さらに含む、請求項１に記載の装置。
【請求項１０】
前記第１の複数の対応する信号および前記第２の複数の対応する信号の各々は、時間依存の援助データをさらに備え、前記第２の複数の対応する信号についての前記時間依存の援助データは、前記第１の複数の対応する信号についての前記時間依存の援助データに変換されるのに適合している、請求項１に記載の装置。
【請求項１１】
前記第１のＮＳＳについての第１の情報と前記第２のＮＳＳについての第２の情報は、時間依存の援助データをさらに備え、前記第２の複数の対応する信号についての前記時間依存の援助データは、前記第２の複数の対応する信号についての前記時間依存の援助データから、前記第１の複数の対応する信号についての前記時間依存の援助データへの変換を表わすオフセットと結合される、請求項１に記載の装置。
【請求項１２】
処理装置によって実行されるとき、動作を実行する命令で符号化されたコンピュータ可読媒体であって、前記命令は、
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別するためのコードと、
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別するためのコードと、
前記第１の複数の対応する信号と前記第２の複数の対応する信号を受信および識別することに応じて、位置ロケーション情報を決定するためのコードと、
前記第１のＮＳＳについての第１の情報と、前記第１のＮＳＳについての前記第１の情報に対応する前記第２のＮＳＳについての第２の情報と、を受信するためのコードと、
を備える、コンピュータ可読媒体。
【請求項１３】
前記コンピュータ可読媒体は、移動局に位置する、請求項１２に記載のコンピュータ可読媒体。
【請求項１４】
位置測定要求メッセージを受信するためのコード、をさらに備え、前記位置測定要求メッセージを受信するためのコードは、ロケーションサーバから前記位置測定要求メッセージを受信するためのコードをさらに備える、請求項１３に記載のコンピュータ可読媒体。
【請求項１５】
処理装置によって実行されるとき、動作を実行する命令で符号化されたコンピュータ可読媒体であって、前記命令は、
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別するためのコードと；
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別するためのコードと；
前記第１の複数の対応する信号と前記第２の複数の対応する信号を受信および識別することに応じて、位置ロケーション情報を決定するためのコードと；
前記第１のＮＳＳのための援助データを表わす第１の情報と、前記第１のＮＳＳのための援助データに対応する前記第２のＮＳＳのための援助データを表わす第２の情報を受信するためのコードと；
を備えるコンピュータ可読媒体。
【請求項１６】
前記第１のＮＳＳのための援助データを表わす第１の情報および前記第２のＮＳＳのための援助データを表わす第２の情報の各々は、
ディファレンシャル修正、ナビゲーション・モデル、アルマナック、捕捉援助およびリアルタイム・インテグリティ、の要素のうちの１つ以上をさらに含む、請求項１５に記載のコンピュータ可読媒体。
【請求項１７】
処理装置によって実行されるとき、動作を実行する命令で符号化されたコンピュータ可読媒体であって、前記命令は、
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別するためのコードと；
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別するためのコードと；
前記第１の複数の対応する信号と前記第２の複数の対応する信号を受信および識別することに応じて、位置ロケーション情報を決定するためのコードと；
前記第１のＮＳＳについての測定情報を表わす第１の情報と、前記第１のＮＳＳについての測定情報に対応する前記第２のＮＳＳについての測定情報を表わす第２の情報と、を送信するためのコードと；
を備えるコンピュータ可読媒体。
【請求項１８】
前記第１のＮＳＳについての測定情報を表わす前記第１の情報、および、前記第２のＮＳＳについての測定情報を表わす前記第２の情報の各々は、フレーム番号、全地球型測位衛星（ＧＰＳ）の週の時刻（ＴＯＷ）、および測定パラメータ、の要素のうちの１つ以上をさらに含む、請求項１７に記載のコンピュータ可読媒体。
【請求項１９】
前記測定パラメータは、ＳＶ ＩＤ、Ｃ／Ｎｏ、ドップラー、完全なチップ、断片的なチップ、マルチパス・インディケーター、およびＲＭＳ擬似距離誤差、の要素の１つ以上をさらに含む、請求項１８に記載のコンピュータ可読媒体。
【請求項２０】
前記第１のＮＳＳおよび前記第２のＮＳＳは、それぞれ、全地球型測位衛星（ＧＰＳ）システムおよびガリレオ衛星システムを、および／または、それぞれ、全地球型測位衛星（ＧＰＳ）システムおよびＧＬＯＮＡＳＳ衛星システムのうちの少なくとも１つをさらに含む、請求項１２に記載のコンピュータ可読媒体。
【請求項２１】
前記第１の複数の対応する信号および前記第２の複数の対応する信号の各々は、
時間依存の援助データをさらに備え、前記第２の複数の対応する信号についての前記時間依存の援助データは、前記第１の複数の対応する信号についての前記時間依存の援助データに変換されるのに適合している、請求項１２に記載のコンピュータ可読媒体。
【請求項２２】
前記第１のＮＳＳについての第１の情報と前記第２のＮＳＳについての第２の情報は、 時間依存の援助データをさらに備え、前記第２の複数の対応する信号についての時間依存の援助データは、前記第２の複数の対応する信号についての前記時間依存の援助データから、前記第１の複数の対応する信号についての前記時間依存の援助データへの変換を表わすオフセットと結合される、請求項１２に記載のコンピュータ可読媒体。
【請求項２３】
無線通信ネットワークにおいて移動局の位置を決定するための方法であって、命令は、
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別することと、
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別することと、
前記第１の複数の対応する信号と前記第２の複数の対応する信号を受信および識別することに応じて、位置ロケーション情報を決定することと、
前記第１のＮＳＳについての第１の情報と、前記第１のＮＳＳについての前記第１の情報に対応する前記第２のＮＳＳについての第２の情報と、を受信することと、
を備える方法。
【請求項２４】
前記方法は、移動局によって実施される、請求項２３に記載の方法。
【請求項２５】
位置測定要求メッセージを受信すること、をさらに備え、前記位置測定要求メッセージを受信することは、
ロケーションサーバから前記位置測定要求メッセージを受信することをさらに備える、請求項２４に記載の方法。
【請求項２６】
前記第１のＮＳＳおよび前記第２のＮＳＳは、それぞれ、全地球型測位衛星（ＧＰＳ）システムおよびガリレオ衛星システム、および／または、それぞれ、全地球型測位衛星（ＧＰＳ）システムおよびＧＬＯＮＡＳＳ衛星システムのうちの少なくとも１つをさらに含む、請求項２３に記載の方法。
【請求項２７】
前記第１の複数の対応する信号および前記第２の複数の対応する信号の各々は、時間依存の援助データをさらに備え、前記第２の複数の対応する信号についての前記時間依存の援助データは、前記第１の複数の対応する信号についての前記時間依存の援助データに変換されるのに適合している、さらに含む、請求項２３に記載の方法。
【請求項２８】
無線通信ネットワークにおいて移動局の位置を決定するための方法であって、命令は、
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別することと；
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別することと；
前記第１の複数の対応する信号と前記第２の複数の対応する信号を受信および識別することに応じて、位置ロケーション情報を決定することと；
前記第１のＮＳＳのための援助データを表わす第１の情報と、前記第１のＮＳＳのための援助データに対応する前記第２のＮＳＳのための援助データを表わす第２の情報を受信することと；
を備える方法。
【請求項２９】
前記第１のＮＳＳのための援助データを表わす前記第１の情報および、前記第２のＮＳＳのための援助データを表わす前記第２の情報の各々は、
ディファレンシャル修正、ナビゲーション・モデル、アルマナック、捕捉援助、およびリアルタイム・インテグリティ、の要素のうちの１つ以上を、さらに含む、請求項２８に記載の方法。
【請求項３０】
前記方法は移動局によって実施される、請求項２８に記載の方法。
【請求項３１】
位置測定要求メッセージを受信すること、をさらに備え、前記位置測定要求メッセージを受信することは、
ロケーションサーバから前記位置測定要求メッセージを受信することをさらに備える、請求項３０に記載の方法。
【請求項３２】
前記第１のＮＳＳおよび前記第２のＮＳＳは、それぞれ、全地球型測位衛星（ＧＰＳ）システムおよびガリレオ衛星システム、および／または、それぞれ、全地球型測位衛星（ＧＰＳ）システムおよびＧＬＯＮＡＳＳ衛星システムのうちの少なくとも１つをさらに含む、請求項２８に記載の方法。
【請求項３３】
前記第１の複数の対応する信号および前記第２の複数の対応する信号の各々は、時間依存の援助データをさらに備え、前記第２の複数の対応する信号についての前記時間依存の援助データは、前記第１の複数の対応する信号についての前記時間依存の援助データに変換されるのに適合している、請求項２８に記載の方法。
【請求項３４】
無線通信ネットワークにおいて移動局の位置を決定するための方法であって、命令は、
第１の仕様によって動作するように適合された第１の衛星航法システム（ＮＳＳ）と関連づけられた第１の複数の衛星ビークル（ＳＶ）から送信された第１の複数の対応する信号を、前記第１の複数のＳＶと関連づけられた第１の複数のユニークな対応するＩＤに応じて、受信および識別することと；
第２の仕様によって動作するように適合された第２の衛星ＮＳＳと関連づけられた第２の複数のＳＶから送信された第２の複数の対応する信号を、前記第２の複数のＳＶと関連づけられた第２の複数のユニークな対応するＩＤに応じて、受信および識別することと；
前記第１の複数の対応する信号と前記第２の複数の対応する信号を受信および識別することに応じて、位置ロケーション情報を決定することと；
前記第１のＮＳＳについての測定情報を表わす第１の情報と、前記第１のＮＳＳについての前記測定情報に対応する前記第２のＮＳＳについての測定情報を表わす第２の情報と、を送信することと；
を備える方法。
【請求項３５】
前記方法は移動局によって実施される、請求項３４に記載の方法。
【請求項３６】
位置測定応答メッセージを送信すること、をさらに備え、前記位置測定応答メッセージを送信することは、
前記移動局からロケーションサーバに前記位置測定応答メッセージを送信することをさらに備える、請求項３５に記載の方法。
【請求項３７】
前記第１のＮＳＳについての測定情報を表わす前記第１の情報、および前記第２のＮＳＳについての測定情報を表わす前記第２の情報の各々は、フレーム番号、全地球型測位衛星（ＧＰＳ）の週の時刻（ＴＯＷ）、および測定パラメータ、の要素のうちの１つ以上をさらに含む、請求項３４に記載の方法。
【請求項３８】
前記測定パラメータは、ＳＶ ＩＤ、Ｃ／Ｎｏ、ドップラー、完全なチップ、断片的なチップ、マルチパス・インディケーター、およびＲＭＳ擬似距離誤差、の要素のうちの１つ以上をさらに含む、請求項３７に記載の方法。
【請求項３９】
前記第１のＮＳＳおよび前記第２のＮＳＳは、それぞれ、全地球型測位衛星（ＧＰＳ）システムおよびガリレオ衛星システム、および／または、それぞれ、全地球型測位衛星（ＧＰＳ）システムおよびＧＬＯＮＡＳＳ衛星システムのうちの少なくとも１つをさらに含む、請求項３４に記載の方法。
【請求項４０】
前記第１の複数の対応する信号および前記第２の複数の対応する信号の各々は、時間依存の援助データをさらに備え、前記第２の複数の対応する信号についての前記時間依存の援助データは、前記第１の複数の対応する信号についての前記時間依存の援助データに変換されるのに適合している、請求項３４に記載の方法。
【請求項４１】
前記装置は移動局に位置する、請求項４に記載の装置。
【請求項４２】
位置測定要求メッセージを受信するための手段、をさらに備え、前記位置測定要求メッセージを受信するための手段は、
前記ロケーションサーバから前記位置測定要求メッセージを受信するための手段をさらに備える、請求項４１に記載の装置。
【請求項４３】
前記装置は移動局に位置する、請求項６に記載の装置。
【請求項４４】
位置測定応答メッセージを送信するための手段をさらに備え、前記位置測定応答メッセージを送信するための手段は、
前記移動局からロケーションサーバに前記位置測定応答メッセージを送信するための手段をさらに備える、請求項４３に記載の装置。
【請求項４５】
前記コンピュータ可読媒体は移動デバイスに位置する、請求項１２に記載のコンピュータ可読媒体。
【請求項４６】
位置測定要求メッセージを受信するためのコード、をさらに備え、前記位置測定要求メッセージを受信するためのコードは、
ロケーションサーバから前記位置測定要求メッセージを受信するためのコードをさらに備える、請求項４５に記載のコンピュータ可読媒体。
【請求項４７】
前記コンピュータ可読媒体は、移動デバイスに位置する、請求項１５に記載のコンピュータ可読媒体。
【請求項４８】
位置測定要求メッセージを受信するためのコードをさらに備え、前記位置測定要求メッセージを受信するためのコードは、
ロケーションサーバから前記位置測定要求メッセージを受信するためのコードをさらに備える、請求項４７に記載のコンピュータ可読媒体。
【請求項４９】
前記コンピュータ可読媒体は、移動デバイスに位置する、請求項１７に記載のコンピュータ可読媒体。
【請求項５０】
位置測定応答メッセージを送信するためのコードをさらに備え、前記位置測定応答メッセージを送信するためのコードは、
ロケーションサーバに、前記移動局からの前記位置測定応答メッセージを送信するためのコードをさらに備える、請求項４９に記載のコンピュータ可読媒体。
【請求項５１】
前記第１のＮＳＳについての前記第１の情報は、第１のＮＳＳ時間を備え、前記第２のＮＳＳについての前記第２の情報は、前記第１のＮＳＳ時間へのオフセットを備える、請求項１、請求項４または請求項６のいずれかに記載の装置。
【請求項５２】
前記第１のＮＳＳについての前記第１の情報は、第１のＮＳＳ時間を備え、前記第２のＮＳＳについての前記第２の情報は、前記第１のＮＳＳ時間へのオフセットを備える、請求項１２、請求項１５または請求項１７のいずれかに記載のコンピュータ可読媒体。
【請求項５３】
前記第１のＮＳＳについての前記第１の情報は、第１のＮＳＳ時間を備え、前記第２のＮＳＳについての前記第２の情報は、前記第１のＮＳＳ時間へのオフセットを備える、請求項２３、請求項２８または請求項３４のいずれかに記載の方法。